(57)【要約】【課題】旧機器に関する設定データを新機器に容易に引き継ぐことが出来るようにする。【解決手段】機器管理システム１００は、記憶部２５ｂと、第１検出部７２ａと、第２検出部７２ｂと、設定部７２ｃとを備え、ネットワーク５ａ内の１以上の管理対象機器３０ａ，３０ｂ，・・・，Ｎを管理する。記憶部２５ｂは、管理対象機器３０ａ，３０ｂ，・・・，Ｎの設定データを記憶する。第１検出部７２ａは、記憶部２５ｂを参照し、ネットワーク５ａに以前に接続されていたが、現在接続されていない第１機器３０ａを検出する。第２検出部７２ｂは、ネットワーク５ａに現在接続されている第２機器Ｎを検出する。設定部７２ｃは、第１機器３０ａの設定データを第２機器Ｎに設定する。【選択図】図７
2010176499.tif 000002
【特許請求の範囲】
【請求項１】
ネットワーク（５ａ）内の１以上の管理対象機器（３０ａ，３０ｂ，・・・，Ｎ）を管理する機器管理システムであって、
前記管理対象機器の設定データを記憶する記憶部（２５ｂ）と、
前記記憶部を参照し、前記ネットワークに以前に接続されていたが、現在接続されていない前記管理対象機器である第１機器（３０ａ）を検出する第１検出部（７２ａ）と、
前記ネットワークに現在接続されている前記管理対象機器である第２機器（Ｎ）を検出する第２検出部（７２ｂ）と、
前記第１機器の前記設定データを前記第２機器に設定する設定部（７２ｃ）と、
を備える、
機器管理システム（１００）。
【請求項２】
前記第１検出部（７２ａ）が検出した前記第１機器（３０ａ）を利用者が認識し得る情報を表示する第１表示部（Ａ２）、
をさらに備える、
請求項１に記載の機器管理システム（１００）。
【請求項３】
前記第１表示部（Ａ２）に表示された前記第１機器（３０ａ）が前記設定部（７２ｃ）による処理の対象であることを確認する確認情報の入力を受け付ける入力部（７４）、
をさらに備え、
前記設定部は、前記入力部に前記確認情報が入力されたことを受けて、前記第１機器の前記設定データを前記第２機器（Ｎ）に設定する、
請求項２に記載の機器管理システム（１００）。
【請求項４】
前記第２機器（Ｎ）を前記ネットワーク（５ａ）に接続することを利用者に促す接続命令情報を表示する第２表示部（Ａ３）、
をさらに備え、
前記設定部（７２ｃ）は、前記第２機器が前記ネットワークに接続されたことを受けて、前記第１機器（３０ａ）の前記設定データを前記第２機器に設定する、
請求項１から３のいずれかに記載の機器管理システム（１００）。
【請求項５】
前記入力部（７４）に前記確認情報が入力されたことを受けて、前記第２機器（Ｎ）を前記ネットワーク（５ａ）に接続することを利用者に促す接続命令情報を表示する第２表示部（Ａ３）、
をさらに備え、
前記設定部（７２ｃ）は、前記第２機器が前記ネットワークに接続されたことを受けて、前記第１機器（３０ａ）の前記設定データを前記第２機器に設定する、
請求項３に記載の機器管理システム（１００）。
【請求項６】
前記設定データには、前記ネットワーク（５ａ）上のアドレスが含まれる、
請求項１から５のいずれかに記載の機器管理システム（１００）。
【請求項７】
前記設定部（７２ｃ）が前記第１機器（３０ａ）の前記設定データを設定した前記第２機器（Ｎ）に対し、所定の動作の実行を命じる動作命令部（７２ｄ）、
をさらに備える、
請求項１から６のいずれかに記載の機器管理システム（１００）。
【請求項８】
前記管理対象機器（３０ａ，３０ｂ，・・・，Ｎ）は、設備機器（５０ａ，５０ｂ，・・・）を前記ネットワーク（５ａ）に接続するための、前記設備機器に外付けの又は内蔵されるネットワーク機器である、
請求項１から７のいずれかに記載の機器管理システム（１００）。
【請求項９】
ネットワーク（５ａ）内の１以上の管理対象機器（３０ａ，３０ｂ，・・・，Ｎ）を管理する機器管理システム（１００）であって、
前記ネットワーク外に存在し、前記管理対象機器を管理する遠隔管理装置（２０）と、
前記ネットワーク内に少なくとも一時的に存在し、前記管理対象機器の設定を行う設定装置（７０）と、
を備え、
前記遠隔管理装置は、
前記管理対象機器の設定データを記憶する記憶部（２５ｂ）、
を有し、
前記設定装置は、
前記記憶部を参照し、前記ネットワークに以前に接続されていたが、現在接続されていない前記管理対象機器である第１機器（３０ａ）を検出する第１検出部（７２ａ）と、
前記ネットワークに現在接続されている前記管理対象機器である第２機器（Ｎ）を検出する第２検出部（７２ｂ）と、
前記第１機器の前記設定データを前記第２機器に設定する設定部（７２ｃ）と、
を有する、
機器管理システム（１００）。
【請求項１０】
ネットワーク（５ａ）内の１以上の管理対象機器（３０ａ，３０ｂ，・・・，Ｎ）の設定データを記憶する記憶部（２５ｂ）を有する機器管理システム（１００）に前記管理対象機器の設定を行わせる設定プログラムであって、
前記記憶部（２５ｂ）を参照し、前記ネットワークに以前に接続されていたが、現在接続されていない前記管理対象機器である第１機器（３０ａ）を検出する第１検出ステップ（Ｓ５）と、
前記ネットワークに現在接続されている前記管理対象機器である第２機器（Ｎ）を検出する第２検出ステップ（Ｓ９）と、
前記第１機器の前記設定データを前記第２機器に設定する設定ステップ（Ｓ１０）と、
を前記機器管理システムに実行させる、設定プログラム。
【発明の詳細な説明】
【技術分野】
【０００１】
本発明は、ネットワーク内の１以上の機器を管理する機器管理システムおよびこれ上で実行される設定プログラムに関する。
【背景技術】
【０００２】
従来より、空調機又は空調機に付属のネットワーク機器などの機器を、当該機器の遠隔に存在する遠隔管理サーバなどの機器管理装置により、インターネットなどの通信回線を介して管理する機器管理サービスが利用されている（例えば、特許文献１の特開２００５−３０１９８２号公報）。このようなサービスでは、機器のネットワーク設定に関するデータ（以下、ネットワーク設定データ）などの設定データが、当該機器の管理目的で機器管理装置に保持されている。
【発明の概要】
【発明が解決しようとする課題】
【０００３】
ところで、故障等の事情により、機器の一部または全部が交換されることがある。そうすると、機器管理装置内の交換前の機器に対応付けられている設定データは、対応付けの対象となる機器がなくなってしまうため、有効に活用できなくなってしまう。他方、交換後の機器に対しては、設定データを再設定する必要が生じ、機器の交換を行う作業者の負担を増大させる傾向にある。そこで、交換後の機器を交換前の機器と同様に管理するべく、機器管理装置内の旧機器に対応付けられている設定データを新機器に引き継ぐことが重要になる。
【０００４】
本発明の課題は、旧機器に関する設定データを新機器に容易に引き継ぐことが出来る機器管理システムおよびこれ上で実行される設定プログラムを提供することにある。
【課題を解決するための手段】
【０００５】
第１発明に係る機器管理システムは、記憶部と、第１検出部と、第２検出部と、設定部とを備え、ネットワーク内の１以上の管理対象機器を管理する。記憶部は、管理対象機器の設定データを記憶する。第１検出部は、記憶部を参照し、第１機器を検出する。第１機器は、上記ネットワークに以前に接続されていたが、現在接続されていない管理対象機器である。第２検出部は、第２機器を検出する。第２機器は、上記ネットワークに現在接続されている管理対象機器である。設定部は、第１機器の設定データを第２機器に設定する。
【０００６】
この機器管理システムは、旧機器（第１機器）および新機器（第２機器）を検出し、旧機器の設定データを新機器に設定する。従って、旧機器の設定データを新機器に容易に引き継ぐことが出来る。
【０００７】
第２発明に係る機器管理システムは、第１発明に係る機器管理システムであって、第１表示部をさらに備える。第１表示部は、第１検出部が検出した第１機器を利用者が認識し得る情報を表示する。
【０００８】
この機器管理システムは、検出された旧機器を利用者に向けて表示する。従って、利用者は、交換対象の旧機器を容易に認識することができる。
【０００９】
第３発明に係る機器管理システムは、第２発明に係る機器管理システムであって、入力部をさらに備える。入力部は、確認情報の入力を受け付ける。確認情報は、第１表示部に表示された第１機器が設定部による処理の対象であることを確認する情報である。設定部は、入力部に確認情報が入力されたことを受けて、第１機器の設定データを第２機器に設定する。
【００１０】
この機器管理システムは、表示された旧機器が交換対象となる旨を利用者に入力させ、当該入力を待って、旧機器の設定データを新機器に設定する。従って、旧機器が正確に特定される。
【００１１】
第４発明に係る機器管理システムは、第１発明から第３発明のいずれかに係る機器管理システムであって、第２表示部をさらに備える。第２表示部は、接続命令情報を表示する。接続命令情報は、第２機器を上記ネットワークに接続することを利用者に促す情報である。設定部は、第２機器が上記ネットワークに接続されたことを受けて、第１機器の設定データを第２機器に設定する。
【００１２】
この機器管理システムは、新機器をネットワークに接続するよう利用者に命じ、当該接続を待って、旧機器の設定データを新機器に設定する。従って、新機器が正確に特定される。
【００１３】
第５発明に係る機器管理システムは、第３発明に係る機器管理システムであって、第２表示部をさらに備える。第２表示部は、入力部に確認情報が入力されたことを受けて、接続命令情報を表示する。接続命令情報は、第２機器を上記ネットワークに接続することを利用者に促す情報である。設定部は、第２機器が上記ネットワークに接続されたことを受けて、第１機器の設定データを第２機器に設定する。
【００１４】
この機器管理システムは、表示された旧機器が交換対象となる旨を利用者に入力させ、当該入力を待って、新機器を上記ネットワークに接続するよう利用者に命じ、当該接続を待って、旧機器の設定データを新機器に設定する。従って、旧機器および新機器が正確に特定される。
【００１５】
第６発明に係る機器管理システムは、第１発明から第６発明のいずれかに係る機器管理システムであって、設定データには、上記ネットワーク上のアドレスが含まれる。
【００１６】
この機器管理システムは、旧機器のネットワーク上のアドレスを新機器に設定する。従って、旧機器のネットワーク上のアドレスを新機器に容易に引き継ぐことが出来る。
【００１７】
第７発明に係る機器管理システムは、第１発明から第６発明のいずれかに係る機器管理システムであって、動作命令部をさらに備える。動作命令部は、設定部が第１機器の設定データを設定した第２機器に対し、所定の動作の実行を命じる。
【００１８】
この機器管理システムは、旧機器の設定データを引き継がせた新機器に対し、所定の動作を実行させる。従って、利用者の立場からは、どの機器に旧機器の設定データが引き継がれたのかの確認が容易になり、旧機器の設定データを新機器に正確に引き継ぐことが出来る。
【００１９】
第８発明に係る機器管理システムは、第１発明から第７発明のいずれかに係る機器管理システムであって、管理対象機器は、ネットワーク機器である。ネットワーク機器は、設備機器を上記ネットワークに接続するための、設備機器に外付けの又は内蔵される機器である。
【００２０】
ここでは、設備機器をネットワークに接続するためのネットワーク機器を含む機器の交換時に、旧機器の設定データを新機器に容易に引き継ぐことが出来る。
【００２１】
第９発明に係る機器管理システムは、遠隔管理装置と、設定装置とを備え、ネットワーク内の１以上の管理対象機器を管理する。遠隔管理装置は、上記ネットワーク外に存在し、管理対象機器を管理する。設定装置は、上記ネットワーク内に少なくとも一時的に存在し、管理対象機器の設定を行う。遠隔管理装置は、記憶部を有する。記憶部は、管理対象機器の設定データを記憶する。設定装置は、第１検出部と、第２検出部と、設定部とを有する。第１検出部は、記憶部を参照し、第１機器を検出する。第１機器は、上記ネットワークに以前に接続されていたが、現在接続されていない管理対象機器である。第２検出部は、第２機器を検出する。第２機器は、上記ネットワークに現在接続されている管理対象機器である。設定部は、第１機器の設定データを第２機器に設定する。
【００２２】
ここでは、設定装置が、旧機器（第１機器）および新機器（第２機器）を検出し、遠隔管理装置内に保持されている旧機器の設定データを新機器に設定する。従って、旧機器の設定データを新機器に容易に引き継ぐことが出来る。
【００２３】
第１０発明に係る設定プログラムは、第１検出ステップと、第２検出ステップと、設定ステップとを機器管理システムに実行させることにより、機器管理システムに管理対象機器の設定を行わせる。機器管理システムは、記憶部を有する。記憶部は、ネットワーク内の１以上の管理対象機器の設定データを記憶する。第１検出ステップでは、記憶部が参照され、第１機器が検出される。第１機器は、上記ネットワークに以前に接続されていたが、現在接続されていない管理対象機器である。第２検出ステップでは、第２機器が検出される。第２機器は、上記ネットワークに現在接続されている管理対象機器である。設定ステップでは、第１機器の設定データが第２機器に設定される。
【００２４】
この設定プログラムが実行されると、旧機器（第１機器）および新機器（第２機器）が検出され、旧機器の設定データが新機器に設定される。従って、旧機器の設定データを新機器に容易に引き継ぐことが出来る。
【発明の効果】
【００２５】
本発明によれば、旧機器および新機器が検出され、旧機器の設定データが新機器に設定される。従って、旧機器の設定データを新機器に容易に引き継ぐことが出来る。
【図面の簡単な説明】
【００２６】
【図１】本発明の一実施形態に係る空調機管理システムの構成図。
【図２】新型空調機およびコントローラの構成図。
【図３】旧型空調機および接点監視装置の構成図。
【図４】設定ツールの構成図。
【図５】遠隔管理サーバの構成図。
【図６】ネットワーク設定データベースの様子を示す図。
【図７】接点監視機器の一部又は全部の交換作業時のネットワーク設定処理の流れを示す図。
【図８】ネットワーク設定画面を示す図。
【図９】別のネットワーク設定画面を示す図。
【図１０】別のネットワーク設定画面を示す図。
【図１１】別のネットワーク設定画面を示す図。
【発明を実施するための形態】
【００２７】
以下、図面を参照して、本発明の一実施形態に係る空調機管理システム１００（機器管理システム）および空調機管理システム１００上で実行されるプログラム（設定プログラム）について説明する。
【００２８】
＜空調機管理システム＞
（１）全体構成
図１に示す空調機管理システム１００は、建物１内に設置されている複数の空調機、より具体的には、新型空調機４０および旧型空調機５０ａ，５０ｂ，・・・を、建物１の遠隔に存在する遠隔管理センター２内に設置されている遠隔管理サーバ２０により管理する遠隔管理サービスを実施するためのシステムである。
【００２９】
空調機管理システム１００は、主として、コントローラ１０と、接点監視機器３０ａ，３０ｂ，・・・と、遠隔管理サーバ２０と、設定ツール７０とから構成されている。コントローラ１０および接点監視機器３０ａ，３０ｂ，・・・は、建物１内に設置されている。また、コントローラ１０および接点監視機器３０ａ，３０ｂ，・・・は、建物１内に施設されているローカルエリアネットワーク（インターネットプロトコルに対応しているものとする）に含まれるサブネットワーク５ａに接続されており、互いにデータ通信を行っている。コントローラ１０および遠隔管理サーバ２０は、ともにインターネット６に接続可能であり、互いにデータ通信を行っている。コントローラ１０は、新型空調機４０を管理するとともに、接点監視機器３０ａ，３０ｂ，・・・経由でそれぞれ旧型空調機５０ａ，５０ｂ，・・・を管理する。設定ツール７０は、接点監視機器３０ａ，３０ｂ，・・・の一部又は全部の故障等の事情による交換時に少なくとも一時的に、交換後の新機器Ｎのネットワーク設定処理を実行すべくサブネットワーク５ａに接続される機器である。
【００３０】
インターネットプロトコルに対応しているサブネットワーク５ａは、空調機４０，５０ａ，５０ｂ，・・・の管理目的のみに利用されるネットワーク、言い換えると、遠隔管理サーバ２０による遠隔管理サービスに関連する機器のみが接続されるネットワークであり、その入口には専用ルータ６０が配置されている。図示されないが、専用ルータ６０のＷＡＮ側の接続ポートは、サブネットワーク５ａの上位のネットワークの入口となる他のルータのＬＡＮ側のポートに接続されている。建物１内には、複数のサブネットワークが構築されており、サブネットワーク５ａ以外のサブネットワークには、建物１内の利用者が空調機４０，５０ａ，５０ｂ，・・・の管理目的以外で使用するＰＣやネットワークプリンタなどのＩＰネットワーク機器が接続されている。
【００３１】
なお、簡単のために、図１においては、建物１が１つしか示されていないが、実際には、多数の建物１が存在しているものとする。また、図１においては、建物１内にコントローラ１０が１つしか示されていないが、それぞれ１又は複数の空調機（新型空調機４０および旧型空調機５０ａ，５０ｂ，・・・を任意の数ずつ組み合わせたもの）を管理する複数のコントローラ１０が設置されている建物１も存在しているものとする。
【００３２】
（２）新型空調機
以下、図２を参照しつつ、新型空調機４０について説明する。
【００３３】
新型空調機４０は、室外機４１と、室外機４１に冷媒配管を介して接続される１又は複数の室内機４２とを有しており、全体として、図示されない圧縮機や熱交換器等から構成される１の冷媒回路を形成している。室外機４１、１又は複数の室内機４２およびコントローラ１０は、新型空調機４０専用の通信線５ｂを介し、互いに信号の授受を行っている。
【００３４】
各室内機４２は、制御部４５を有している。制御部４５には、リモコン４６が１対１、あるいは、多対１で専用の通信線５ｃを介して接続されている。リモコン４６は、対応する１又は複数の室内機４２に対する運転指令（運転パラメータの変更を命じる指令であり、例えば、起動又は停止を命じたり、設定温度の変更を命じたり、運転モードの変更を命じたり、設定風量の変更を命じたりするもの）の入力を建物１内の利用者から受け付けるユーザインタフェース機器である。
【００３５】
各制御部４５は、リモコン４６又はコントローラ１０からの運転指令に従って、室外機４１の制御部４１ａと協調しつつ、冷媒回路に含まれる各種部品の動作を制御し、室内を空調する。具体的には、圧縮機の周波数、ファンの回転数および各種弁の開度の調整等を行う。
【００３６】
また、各制御部４５は、対応する室内機４２に関する情報（以下、機器情報という）をコントローラ１０からの命令に応じてコントローラ１０に送信する。室内機４２の機器情報には、室内機４２の運転パラメータ（室内機４２の起動／停止の起動状態、設定温度、冷房／暖房／送風等の運転モードおよび設定風量を含む）、室内温度、ならびに、室内機４２に含まれる各種部品の状態値（例えば、室内ファンの回転数、冷媒回路の所定の位置における冷媒の温度および圧力を含む）を示す情報が含まれる。また、室外機４１の制御部４１ａは、室外機４１に関する情報（以下、機器情報という）をコントローラ１０からの命令に応じてコントローラ１０に送信する。室外機４１の機器情報には、外気温度、および、室外機４１に含まれる各種部品の状態値（例えば、圧縮機の周波数、室外ファンの回転数、冷媒回路の所定の位置における冷媒の温度および圧力を含む）を示す情報が含まれる。なお、室内温度、外気温度、室内機４２および室外機４１に含まれる各種部品の状態値は、図示されないセンサ等により検知される。
【００３７】
（３）旧型空調機
以下、図３を参照しつつ、旧型空調機５０ａについて説明するが、その他の旧型空調機５０ｂ，・・・についても同様であるものとする。
【００３８】
旧型空調機５０ａは、室外機５１と、室外機５１に冷媒配管を介して接続される１又は複数の室内機５２とを有しており、全体として、図示されない圧縮機や熱交換器等から構成される１の冷媒回路を形成している。室外機５１、１又は複数の室内機５２および接点監視機器３０ａは、旧型空調機５０ａ専用の通信線５ｄを介し、互いに信号の授受を行っている。
【００３９】
各室内機５２は、制御部５５を有している。制御部５５には、リモコン５６が１対１、あるいは、多対１で専用の通信線５ｅを介して接続されている。リモコン５６は、対応する１又は複数の室内機５２に対する運転指令（運転パラメータの変更を命じる指令であり、例えば、起動又は停止を命じたり、設定温度の変更を命じたり、運転モードの変更を命じたり、設定風量の変更を命じたりするもの）の入力を建物１内の利用者から受け付けるユーザインタフェース機器である。
【００４０】
各制御部５５は、リモコン５６又はコントローラ１０からの運転指令に従って、室外機５１の制御部５１ａと協調しつつ、冷媒回路に含まれる各種部品の動作を制御し、室内を空調する。具体的には、圧縮機の周波数、ファンの回転数および各種弁の開度の調整等を行う。
【００４１】
また、室外機５１の制御部５１ａは、旧型空調機５０ａに関する情報（以下、機器情報という）を接点監視機器３０ａからの命令に応じて接点監視機器３０ａに送信する。旧型空調機５０ａの機器情報には、旧型空調機５０ａの運転パラメータ（旧型空調機５０ａの起動／停止の起動状態を含む）を示す情報が含まれる。
【００４２】
（４）コントローラ
以下、図２を参照しつつ、コントローラ１０について説明する。
【００４３】
コントローラ１０は、通信部１１、制御部１２および記憶部１５等から構成されており、新型空調機４０および旧型空調機５０ａ，５０ｂ，・・・を監視および制御する機能を有している。なお、コントローラ１０は、入力装置および表示装置などのユーザインタフェース機器を有さない装置である。
【００４４】
通信部１１は、コントローラ１０をサブネットワーク５ａひいてはインターネット６、および新型空調機４０専用の通信線５ｂに接続可能にするネットワークインタフェースである。
【００４５】
制御部１２は、ＣＰＵ、ＲＯＭおよびＲＡＭ等から構成されており、記憶部１５に記憶されているプログラムを読み出して実行する。
【００４６】
制御部１２は、所定の時間間隔で（本実施形態では、１分毎に）、各室内機４２の機器情報を当該室内機４２の制御部４５から取得する。また、制御部１２は、所定の時間間隔で（本実施形態では、１分毎に）、旧型空調機５０ａ，５０ｂ，・・・の機器情報をそれぞれ旧型空調機５０ａ，５０ｂ，・・・の室外機５１の制御部５１ａからそれぞれ接点監視機器３０ａ，３０ｂ，・・・経由で取得する。さらに、制御部１２は、所定の時間間隔で（本実施形態では、１分毎に）、室外機４１の機器情報を室外機４１の制御部４１ａから取得する。制御部１２が取得した機器情報は、記憶部１５内に確保されている所定の記憶領域に蓄積される。
【００４７】
当該記憶領域内の機器情報は、コントローラ１０と遠隔管理サーバ２０との所定の時間間隔での（本実施形態では、３０分毎の）定期通信時に、制御部１２によりインターネット６を介して遠隔管理サーバ２０にアップロードされる。また、当該定期通信時には、空調機４０，５０ａ，５０ｂ，・・・を制御するための制御データ（運転スケジュールを含む）が、制御部１２によりインターネット６を介して遠隔管理サーバ２０からダウンロードされ、記憶部１５内に保存される。なお、コントローラ１０と遠隔管理サーバ２０との通信は、コントローラ１０がＷｅｂクライアントとして動作し、遠隔管理サーバ２０がＷｅｂサーバとして動作することにより実現される。
【００４８】
また、制御部１２は、記憶部１５に記憶されている運転スケジュールに従って、適当な運転指令を適当なタイミングで適当な室内機４２，５２に送信する。例えば、「ある室内機４２に、毎日９時から、設定温度２７℃かつ風量弱で、冷房モードでの運転を行わせる」という運転スケジュールが組まれている場合には、制御部１２は、毎日９時になると、起動指令とともに、設定温度を２７℃に、設定風量を弱に、運転モードを冷房モードに設定する設定指令を、当該室内機４２に送信する。また、「空調機５０ａのある室内機５２を毎日９時に起動する」という運転スケジュールが組まれている場合には、制御部１２は、毎日９時になると、起動命令を、接点監視機器３０ａ経由で当該室内機５２に送信する。
【００４９】
また、コントローラ１０は、ＤＨＣＰ機能を有しており、サブネットワーク５ａ上のプライベートＩＰアドレスを自動取得する。
【００５０】
（５）接点監視機器
以下、図３を参照しつつ、接点監視機器３０ａについて説明するが、その他の接点監視機器３０ｂ，・・・についても同様であるものとする。
【００５１】
接点監視機器３０ａは、通信部３１、制御部３２および記憶部３５等から構成されている。なお、接点監視機器３０ａは、リモートＩ／Ｏコントローラである。
【００５２】
通信部３１は、接点監視機器３０ａをサブネットワーク５ａおよび旧型空調機５０ａ専用の通信線５ｄに接続可能にするネットワークインタフェースである。
【００５３】
制御部３２は、ＣＰＵ、ＲＯＭおよびＲＡＭ等から構成されており、記憶部３５に記憶されているプログラムを読み出して実行する。制御部３２は、旧型空調機５０ａの機器情報をコントローラ１０からの命令に応じて室外機５１の制御部５１ａから取得し、コントローラ１０に送信する。また、制御部３２は、旧型空調機５０ａに対する運転指令をコントローラ１０から受け取ると、当該宛先に転送する。
【００５４】
接点監視機器３０ａは、ＤＨＣＰ機能を有しておらず（無効化されている場合を含む）、接点監視機器３０ａの初期設定時に割り振られるサブネットワーク５ａ上のプライベートＩＰアドレスを固定ＩＰアドレスとして使用する。
【００５５】
（６）設定ツール
図４に示すように、設定ツール７０は、通信部７１、制御部７２、出力部７３、入力部７４および記憶部７５等から構成されるパーソナルコンピュータであり、接点監視機器３０ａ，３０ｂ，・・・の一部又は全部の交換作業時のネットワーク設定を支援するツールである。設定ツール７０は、Ｗｅｂクライアント機能を有しており、Ｗｅｂサーバ機能を有するコントローラ１０および遠隔管理サーバ２０に対しＨＴＴＰ接続を行う。従って、コントローラ１０および遠隔管理サーバ２０側からは、原則として設定ツール７０にアクセスできないようになっている。
【００５６】
通信部７１は、設定ツール７０をサブネットワーク５ａひいてはインターネット６に接続可能にするネットワークインタフェースである。
【００５７】
制御部７２は、ＣＰＵ、ＲＯＭおよびＲＡＭ等から構成されており、記憶部７５に記憶されているプログラムを読み出して実行することにより、第１検出部７２ａ、第２検出部７２ｂ、設定部７２ｃおよび動作命令部７２ｄとして動作する。第１検出部７２ａ、第２検出部７２ｂ、設定部７２ｃおよび動作命令部７２ｄは、接点監視機器３０ａ，３０ｂ，・・・の一部又は全部の交換時のネットワーク設定処理を実行する。
【００５８】
出力部７３は、設定ツール７０を操作しつつ接点監視機器３０ａ，３０ｂ，・・・の一部又は全部の交換作業を行う作業員に視認可能なディスプレイ、およびスピーカ等から構成されており、入力部７４は、当該作業員が設定ツール７０に対して操作命令を入力する際に用いられるマウスおよびキーボード等から構成されている。
【００５９】
記憶部７５は、ハードディスク等から構成されている。
【００６０】
（７）遠隔管理サーバ
図５に示すように、遠隔管理サーバ２０は、通信部２１、制御部２２、出力部２３、入力部２４および記憶部２５等から構成されるサーバコンピュータであり、コントローラ１０経由で新型空調機４０および旧型空調機５０ａ，５０ｂ，・・・を監視および制御する機能を有している。遠隔管理サーバ２０は、Ｗｅｂサーバ機能を有しており、Ｗｅｂクライアント機能を有するコントローラ１０および設定ツール７０からのＨＴＴＰ接続を受け付けている。従って、遠隔管理サーバ２０側からは、原則としてコントローラ１０および設定ツール７０にアクセスできないようになっている。
【００６１】
通信部２１は、遠隔管理サーバ２０をインターネット６に接続可能にするネットワークインタフェースである。
【００６２】
制御部２２は、ＣＰＵ、ＲＯＭおよびＲＡＭ等から構成されており、記憶部２５に記憶されているプログラムを読み出して実行する。遠隔管理センター２の職員および空調機４０，５０ａ，５０ｂ，・・・の利用者は、制御部２２に対し、空調機４０，５０ａ，５０ｂ，・・・の制御データ（運転スケジュールを含む）を受け渡すことができる。なお、制御部２２へのアクセスは、入力部２４、又はインターネット６に接続されているＷｅｂクライアント機能を有する任意の端末を介して行われる。制御部２２は、コントローラ１０と遠隔管理サーバ２０との定期通信時にコントローラ１０にダウンロードされるよう、当該制御データを記憶部２５内の適当なディレクトリに保存する。
【００６３】
記憶部２５は、ハードディスク等から構成されており、機器情報データベース２５ａ、ネットワーク設定データベース２５ｂおよび機器構成データベース２５ｃを保持している。
【００６４】
機器情報データベース２５ａには、コントローラ１０から送られてくる空調機４０，５０ａ，５０ｂ，・・・の機器情報が適当な形式で蓄積される。機器情報データベース２５ａ内の機器情報は、遠隔管理サーバ２０が提供する、空調機４０，５０ａ，５０ｂ，・・・における異常を検知する異常検知サービス、空調機４０，５０ａ，５０ｂ，・・・の利用態様に関する報告書・提案書を作成する報告書・提案書発行サービスなどの各種遠隔管理サービスに利用される。
【００６５】
ネットワーク設定データベース２５ｂは、「ネットワークＩＤ」「ＩＰアドレス」「サブネットマスク」「ＭＡＣアドレス」の少なくとも４つのフィールドを有する表形式のデータベースであり（図６参照）、コントローラ１０および接点監視機器３０ａ，３０ｂ，・・・のネットワーク設定データを格納している。ネットワーク設定データは、各種遠隔管理サービスに利用され得るよう、コントローラ１０および接点監視機器３０ａ，３０ｂ，・・・の初期設定時に格納される。「ネットワークＩＤ」フィールドには、サブネットワーク５ａを識別するＩＤが格納され、「ＩＰアドレス」フィールドには、ＩＰアドレスが格納され、「サブネットマスク」フィールドには、サブネットマスクが格納され、「ＭＡＣアドレス」フィールドには、ＭＡＣアドレスが格納される。ネットワーク設定データベース２５ｂ内の各レコードは、１のＩＰノード（コントローラ１０又は接点監視機器３０ａ，３０ｂ，・・・）に対応している。
【００６６】
機器構成データベース２５ｃは、機器構成データを格納する。機器構成データとは、例えば、空調機４０，５０ａ，５０ｂ，・・・、コントローラ１０および接点監視機器３０ａ，３０ｂ，・・・の機種および名称、ならびに空調機４０，５０ａ，５０ｂ，・・・の制御データ等であり、空調機４０，５０ａ，５０ｂ，・・・の初期設定時などに遠隔管理サーバ２０に登録されるデータである。
【００６７】
なお、機器情報データベース２５ａ、ネットワーク設定データベース２５ｂおよび機器構成データベース２５ｃ内では、各種データがコントローラ１０又は接点監視機器３０ａ，３０ｂ，・・・のＭＡＣアドレスに関連付けられた態様で記憶される。ＭＡＣアドレスは、ＩＰノードであるコントローラ１０および接点監視機器３０ａ，３０ｂ，・・・をネットワーク５ａ，６上で一意に特定する。また、空調機４０，５０ａ，５０ｂ，・・・は、コントローラ１０および接点監視機器３０ａ，３０ｂ，・・・に１対１で接続されるため、ＭＡＣアドレスによりネットワーク５ａ，６上で一意に特定されることになる。
【００６８】
出力部２３は、ディスプレイおよびスピーカ等から構成されている。
【００６９】
入力部２４は、遠隔管理センター２の職員が遠隔管理サーバ２０に対して操作命令を入力する際に用いられるマウスおよびキーボード等から構成されている。
【００７０】
（８）接点監視機器の一部又は全部の交換作業時のネットワーク設定処理
以下、図７を参照しつつ、接点監視機器３０ａ，３０ｂ，・・・の一部又は全部の交換作業を行う作業員が実行するネットワーク設定処理の流れを説明する。図７は、ネットワーク設定処理に関与する２つの要素（設定ツール７０および遠隔管理サーバ２０）の動作の時間的関係、および当該要素間で受け渡されるデータの流れを示している。なお、図７では、上から下に時間の流れが規定されている。図８〜図１１に示される画面は、ネットワーク設定処理の実行時に設定ツール７０のディスプレイ上に表示されるネットワーク設定画面Ａ１〜Ａ４である。
【００７１】
以下では、例示として、故障等の事情により接点監視機器３０ａを新機器Ｎに交換する場合を例示する。なお、新機器Ｎも、接点監視機器３０ａ，３０ｂ，・・・と同様の構成を有する、インターネットプロトコルに対応したリモートＩ／Ｏコントローラである。
【００７２】
ネットワーク設定処理は、接点監視機器３０ａの交換作業を行う作業員がサブネットワーク５ａに設定ツール７０を接続し、設定ツール７０上にネットワーク設定画面を立ち上げることにより開始する。
【００７３】
まず、設定ツール７０の制御部７２は、サブネットワーク５ａ内に現在存在するＩＰノード（設定ツール７０を除く）を検出し、当該ＩＰノード（具体的には、コントローラ１０および接点監視機器３０ｂ，・・・）のＭＡＣアドレスのリストを取得する（ステップＳ１）。なお、ステップＳ１の実行時には、接点監視機器３０ａはサブネットワーク５ａ内から既に取り外されているものとする。
【００７４】
次に、設定ツール７０の制御部７２は、ステップＳ２のＭＡＣアドレスのリストを遠隔管理サーバ２０に送信する（ステップＳ２）。
【００７５】
次に、遠隔管理サーバ２０の制御部２２は、設定ツール７０からのＭＡＣアドレスのリストに含まれるＭＡＣアドレスをキーとして、ネットワーク設定データベース２５ｂおよび機器構成データベース２５ｃを検索し、ネットワーク設定データベース２５ｂ内でサブネットワーク５ａ内に存在するものとして登録されている全ＩＰノード（具体的には、コントローラ１０および接点監視機器３０ａ，３０ｂ，・・・）のネットワーク設定データおよび機器構成データを抽出する（ステップＳ３）。なお、設定ツール７０からのＭＡＣアドレスのリストには、交換対象となっている接点監視機器３０ａのＭＡＣアドレスは含まれていない。しかしながら、接点監視機器３０ａは、ネットワーク設定データベース２５ｂ内においてサブネットワーク５ａに関連付けられているため、接点監視機器３０ａのネットワーク設定データおよび機器構成データも、ステップＳ３での抽出の対象となる。
【００７６】
次に、遠隔管理サーバ２０の制御部２２は、ステップＳ３のネットワーク設定データおよび機器構成データを設定ツール７０に送信する（ステップＳ４）。
【００７７】
次に、設定ツール７０の第１検出部７２ａは、ディスプレイ上に図８に示すネットワーク設定画面Ａ１を表示させつつ、遠隔管理サーバ２０からのネットワーク設定データを参照することにより、サブネットワーク５ａに以前に接続されていたが、現在接続されていないＩＰノード（具体的には、接点監視機器３０ａ）を検出する（ステップＳ５）。
【００７８】
次に、設定ツール７０の制御部７２は、ディスプレイ上に図９に示すネットワーク設定画面Ａ２を表示させる（ステップＳ６）。ネットワーク設定画面Ａ２は、ステップＳ５の検出の結果を作業員が認識し得る態様で表示する画面、より具体的には、ステップＳ５で検出されたＩＰノード（具体的には、接点監視機器３０ａ）の機種および名称を示す文字情報を表示する画面である。ネットワーク設定画面Ａ２に表示されるＩＰノードの機種および名称は、ステップＳ４の機器構成データを参照することにより特定される。
【００７９】
ネットワーク設定画面Ａ２上の上記文字情報の表示領域は、入力部７４を介し選択可能な領域である。設定ツール７０の制御部７２は、ネットワーク設定画面Ａ２内の当該表示領域が選択されている状態で「次へ」ボタンが押されたことを検知すると、当該表示領域のＩＰノード（具体的には、接点監視機器３０ａ）が交換対象であると判断する（ステップＳ７）。言い換えると、「次へ」ボタンが押されたことを示す情報は、選択中のＩＰノード（具体的には、接点監視機器３０ａ）が交換対象であることを確認する情報となる。
【００８０】
次に、設定ツール７０の制御部７２は、ディスプレイ上に図１０に示すネットワーク設定画面Ａ３を表示させる（ステップＳ８）。ネットワーク設定画面Ａ３は、交換後の新機器Ｎをサブネットワーク５ａに接続することを作業員に促す文字情報を表示する画面である。
【００８１】
次に、設定ツール７０の第２検出部７２ｂは、サブネットワーク５ａに以前に接続されていなかったが、現在接続されているＩＰノード（具体的には、新機器Ｎ）を検出する（ステップＳ９）。ステップＳ９は、ネットワーク設定画面Ａ３上の「次へ」ボタンが押されたことにより、作業員による新機器Ｎの接続作業の終了が確認された後に実行される。
【００８２】
次に、設定ツール７０の設定部７２ｃは、ステップＳ４の遠隔管理サーバ２０からのネットワーク設定データに含まれている、ステップＳ７のＩＰノード（具体的には、接点監視機器３０ａ）のＩＰアドレスを、ステップＳ９のＩＰノード（具体的には、新機器Ｎ）に固定ＩＰアドレスとして設定する（ステップＳ１０）。その他、設定部７２ｃは、ステップＳ４の遠隔管理サーバ２０からのネットワーク設定データおよび機器構成データに含まれている、ステップＳ７のＩＰノード（具体的には、接点監視機器３０ａ）に関する各種データ（例えば、サブネットマスクなど）を、必要に応じてステップＳ９のＩＰノード（具体的には、新機器Ｎ）に設定する。
【００８３】
次に、設定ツール７０の設定部７２ｃは、ステップＳ７のＩＰノード（具体的には、接点監視機器３０ａ）のＭＡＣアドレス、およびステップＳ９のＩＰノード（具体的には、新機器Ｎ）のＭＡＣアドレスを遠隔管理サーバ２０に送信する（ステップＳ１１）。
【００８４】
次に、遠隔管理サーバ２０の制御部２２は、機器情報データベース２５ａ、ネットワーク設定データベース２５ｂおよび機器構成データベース２５ｃ内のステップＳ７のＩＰノード（具体的には、接点監視機器３０ａ）のＭＡＣアドレスを、設定ツール７０からのＭＡＣアドレスに更新し（ステップＳ１２）、更新が完了した旨を設定ツール７０に通知する（ステップＳ１３）。
【００８５】
次に、設定ツール７０の動作命令部７２ｄは、ディスプレイ上に図１１に示すネットワーク設定画面Ａ４を表示させる。動作命令部７２ｄは、ネットワーク設定画面Ａ４上の「ＯＫ」ボタンが押されたことを検知すると、ステップＳ９のＩＰノード（具体的には、新機器Ｎ）に接続されている空調機（具体的には、旧型空調機４０ａ）に対し、所定の動作の実行を命じる（ステップＳ１４）。より具体的には、動作命令部７２ｄは、ステップＳ１０の固定ＩＰアドレス等のデータを利用することにより、当該所定の動作の実行命令をコントローラ１０経由でステップＳ９のＩＰノード（具体的には、新機器Ｎ）に送信する。その結果、作業者は、以前に接点監視機器３０ａに接続されており、現在は新機器Ｎに接続されている空調機（具体的には、旧型空調機４０ａ）が所定の動作を実施することを目視することにより、ネットワーク設定処理が無事に終了したことを確認することができる。
【００８６】
なお、上記説明では、１台の接点監視機器３０ａを交換する場合を例示したが、複数台の接点監視機器を交換する場合には、ステップＳ５で複数のＩＰノードが検出されることになる。係る場合には、当該検出されたＩＰノードのそれぞれについて、ステップＳ７〜ステップＳ１０が繰り返されることになる。
【００８７】
＜特徴＞
上記設定ツール７０は、交換対象となる接点監視機器３０ａおよび新機器Ｎを自動検出し、その後、遠隔管理サーバ２０のネットワーク設定データベース２５ｂ内に格納されている、接点監視機器３０ａの固定ＩＰアドレス等の各種ネットワーク設定データを、新機器Ｎに設定する。従って、接点監視機器３０ａの各種ネットワーク設定データが新機器Ｎに容易に引き継がれるようになっている。
【００８８】
＜変形例＞
（１）
上記実施形態において、交換対象となる接点監視機器３０ａから新機器Ｎに引き継がれるデータは、上述したものに限られず、遠隔管理サーバ２０内で接点監視機器３０ａに関連付けて保存されているデータであって、新機器Ｎに引き継ぐ必要がある任意のデータを引き継ぎ設定の対象とすることができる。
【００８９】
（２）
上記実施形態では、コントローラ１０および接点監視機器３０ａ，３０ｂ，・・・は、それぞれ空調機４０，５０ａ，５０ｂ，・・・に外付けされているが、内蔵されていてもよい。
【００９０】
（３）
上記実施形態において、設定ツール７０が実行するネットワーク設定処理用のプログラムは、交換作業時に遠隔管理サーバ２０から設定ツール７０にダウンロードされるようになっていてもよい。
【００９１】
（４）
上記実施形態において、コントローラ１０および接点監視機器３０ａ，３０ｂ，・・・に接続される機器は、空調機４０，５０ａ，５０ｂ，・・・でなくてもよい。例えば、照明機器であってもよい。また、接点監視機器３０ａ，３０ｂ，・・・および旧型空調機５０ａ，５０ｂ，・・・の代わりに、それぞれ信号変換器および電力計が配置される構成となっていてもよい。
【００９２】
（５）
上記実施形態において、コントローラ１０は、新型空調機４０に内蔵されていてもよい。例えば、コントローラ１０の機能が、新型空調機４０の制御部（制御部４１ａ又は制御部４５）に組み込まれていてもよい。つまり、新型空調機４０そのものがＩＰノードであってもよい。
【００９３】
同様に、接点監視機器３０ａ，３０ｂ，・・・が、それぞれ旧型空調機５０ａ，５０ｂ，・・・に内蔵されていてもよい。例えば、接点監視機器３０ａ，３０ｂ，・・・の機能が、それぞれ旧型空調機５０ａ，５０ｂ，・・・の制御部（制御部５１ａ又は制御部５５）に組み込まれていてもよい。つまり、旧型空調機５０ａ，５０ｂ，・・・そのものがＩＰノードであってもよい。
【００９４】
（６）
上記実施形態において、接点監視機器３０ａ，３０ｂ，・・・の代わりに、コントローラ１０と同様のコントローラが用いられてもよい。なお、当該代わりとなるコントローラは、上記実施形態のネットワーク設定処理に関しては、接点監視機器３０ａ，３０ｂ，・・・と同様の機能を有するものとする。
【００９５】
（７）
上記実施形態において、遠隔管理サーバ２０のネットワーク設定処理に関する機能の全部又は一部を、コントローラ１０が保持するようにしてもよい。例えば、ネットワーク設定データベース２５ｂをコントローラ１０に保持させてもよい。
【産業上の利用可能性】
【００９６】
本発明は、旧機器に関する設定データを新機器に容易に引き継ぐことが出来るという効果を有し、ネットワーク内の１以上の機器を管理する機器管理システムおよびこれ上で実行される設定プログラムとして有用である。
【符号の説明】
【００９７】
５ａ  サブネットワーク（ネットワーク）
２０  遠隔管理サーバ
２５  記憶部
２５ｂ  ネットワーク設定データベース（記憶部）
３０ａ，３０ｂ，・・・  接点監視機器（管理対象機器）
５０ａ，５０ｂ，・・・  旧型空調機（設備機器）
７０  設定ツール（設定手段）
７２ａ  第１検出部
７２ｂ  第２検出部
７２ｃ  設定部
７２ｄ  動作命令部
７４  入力部
１００  空調機管理システム（機器管理システム）
Ａ１  ネットワーク設定画面
Ａ２  ネットワーク設定画面（第１表示部）
Ａ３  ネットワーク設定画面（第２表示部）
Ａ４  ネットワーク設定画面
Ｎ  新機器
【先行技術文献】
【特許文献】
【００９８】
【特許文献１】特開２００５−３０１９８２号公報
【図１】
2010176499.tif 000003
【図２】
2010176499.tif 000004
【図３】
2010176499.tif 000005
【図４】
2010176499.tif 000006
【図５】
2010176499.tif 000007
【図６】
2010176499.tif 000008
【図７】
2010176499.tif 000009
【図８】
2010176499.tif 000010
【図９】
2010176499.tif 000011
【図１０】
2010176499.tif 000012
【図１１】
2010176499.tif 000013